(57)【要約】【課題】樹脂成形品を射出成形あるいは押出成形したときに発生したスクラップや、老朽化して使用済みとなった廃材を有効活用することができる三層構造の排水桝からなるドロップ桝を提供する。【解決手段】円筒状をなす桝本体１１の上方が開口し、桝本体１１下部にインバート１２が形成されると共に該インバート１２と連通して桝本体１１の側壁下部に流出管３の接続部１３が形成された排水桝１と、該排水桝１の上端開口部に接続されて地表面の近傍位置まで立ち上げられる点検掃除口用管２とからなり、前記排水桝１の側壁外面又は点検掃除口用管２の側壁外面に流入管５を接続するための分岐継手４が接続される。前記桝本体１１の中間層１ａは樹脂成形品のスクラップや廃材を粉砕して得た再生原料を含有する樹脂原料で形成されると共に、該中間層の内外面は再生原料を含有しない未使用の樹脂原料からなる内層と外層とで覆われる。【選択図】  図３
2005023660.tif 000002
【特許請求の範囲】
【請求項１】
円筒状をなす桝本体の上方が開口し、桝本体下部にインバートが形成されると共に該インバートと連通して桝本体の側壁下部に流出管の接続部が形成された排水桝と、該排水桝の上端開口部に接続されて地表面の近傍位置まで立ち上げられる点検掃除口用管とからなり、前記排水桝の側壁外面又は点検掃除口用管の側壁外面の適所に流入管を接続するための分岐継手が接続されるドロップ桝において、樹脂成形品のスクラップや廃材を粉砕して得た再生原料を含有する樹脂原料で前記桝本体の中間層を形成すると共に、該中間層の内外面を再生原料を含有しない未使用の樹脂原料からなる内層と外層とで覆ったことを特徴とするドロップ桝。
【請求項２】
点検掃除口用管は樹脂成形品のスクラップや廃材を粉砕して得た再生原料を含有する樹脂原料で中間層を形成すると共に、該中間層の内外面を再生原料を含有しない未使用の樹脂原料からなる内層と外層とで覆ったことを特徴とする請求項１記載のドロップ桝。
【請求項３】
樹脂成形品のスクラップや廃材の再生原料が桝本体又は点検掃除口用管を構成する樹脂原料全体の１０〜８０重量％であることを特徴とする請求項１又は２記載のドロップ桝。
【請求項４】
桝本体の側壁外面に分岐継手の接続禁止区域が表示されていることを特徴とする請求項１乃至４記載のドロップ桝。
【発明の詳細な説明】
【０００１】
【発明の属する技術分野】
本発明は、再生原料を含有する樹脂原料で中間層を形成すると共に、該中間層の内外面を再生原料を含有しない樹脂原料からなる内層と外層とで覆った三層構造の排水桝からなるドロップ桝に関する。
【０００２】
【従来の技術】
樹脂原料からなる家電製品の筐体や、管継手等の建材製品を射出成形するとき、ゲート等の不要部材やスクラップが発生したり、合成樹脂管を連続して押出成形するとき、成形条件が安定するまでの初期段階に大量のスクラップが発生することがある。また、耐用年数が経過して老朽化した合成樹脂管を更新するとき、使用済みとなった廃材が大量に発生することがあるが、このようなスクラップや使用済みとなった廃材の処分が問題となっている。
【０００３】
【発明が解決しようとする課題】
従来、樹脂成形品のスクラップや使用済みとなった廃材は焼却処分されたり、地中に埋める等の廃棄処分が行われていたが、樹脂成形品を焼却処分する場合にはダイオキシン等が発生して環境を汚染するという問題が起きている。また、スクラップや廃材となった樹脂成形品を地中に埋める場合には、埋める場所が問題となるのは勿論のこと、樹脂成形品は長期間に亘って分解・腐食されないため、環境破壊の問題が提起されるに至っている。そこで、近年樹脂成形品のスクラップや使用済みとなった廃材を粉砕し、これを再生原料として利用する三層管が提案されているが、その対応は十分とは言い難いものであった（例えば、特許文献１参照）。
【０００４】
【特許文献１】
特開２００１−４１３６２号公報
【０００５】
本発明はかかる課題に着目したものであって、樹脂成形品を射出成形あるいは押出成形したときに発生したスクラップや使用済みとなった廃材を有効活用することができる三層構造の排水桝からなるドロップ桝を提供することを目的とする。
【０００６】
【課題を解決するための手段】
上記目的を達成するため、本発明のドロップ桝は、円筒状をなす桝本体の上方が開口し、桝本体下部にインバートが形成されると共に該インバートと連通して桝本体の側壁下部に流出管の接続部が形成された排水桝と、該排水桝の上端開口部に接続されて地表面の近傍位置まで立ち上げられる点検掃除口用管とからなり、前記排水桝の側壁外面又は点検掃除口用管の側壁外面の適所に流入管を接続するための分岐継手が接続されるドロップ桝において、樹脂成形品のスクラップや廃材を粉砕して得た再生原料を含有する樹脂原料で前記桝本体の中間層を形成すると共に、該中間層の内外面を再生原料を含有しない未使用の樹脂原料からなる内層と外層とで覆ったことを特徴とする。
【０００７】
前記点検掃除口用管は樹脂成形品のスクラップや廃材を粉砕して得た再生原料を含有する樹脂原料で中間層を形成すると共に、該中間層の内外面を再生原料を含有しない未使用の樹脂原料からなる内層と外層とで覆ったものであって、樹脂成形品のスクラップや廃材の再生原料が桝本体又は点検掃除口用管を構成する樹脂原料全体の１０〜８０重量％であることを特徴とする。
【０００８】
また、本発明のドロップ桝は、桝本体の側壁外面に分岐継手の接続禁止区域が表示されていることを特徴とする。
【０００９】
【発明の実施の形態】
以下、本発明の実施の形態を図面にて詳細に説明する。図１は本発明で使用する排水桝の一実施例を示す正面図、図２は図１に示した排水桝の側面図、図３は本発明のドロップ桝の使用状態を示す断面図であって、本発明のドロップ桝は、排水桝１と点検掃除口用管２からなるものである。
【００１０】
排水桝１は、円筒状をなす桝本体１１の上方が開口しており、この上端開口部に点検掃除口用管２の下端部が接続できるようになっている。桝本体１１の下部にはインバート１２が形成されると共に、該インバート１２と連通して桝本体１１の側壁下部に流出管３の接続部１３が一体的に形成されている。この排水桝１は射出成形によって一体的に製造されるものであって、各種樹脂成形品のスクラップや廃材を粉砕して得た再生原料を含有する樹脂原料で桝本体１１の中間層１ａが形成されると共に、該中間層１ａの内外面が再生原料を含有しない未使用の樹脂原料からなる内層と外層とで覆われている。
【００１１】
一方、点検掃除口用管２は押出成形によって製造されるものであって、前記排水桝１と同様に各種樹脂成形品のスクラップや廃材を粉砕して得た再生原料を含有する樹脂原料で点検掃除口用管２の中間層２ａが形成されると共に、該中間層２ａの内外面が再生原料を含有しない未使用の樹脂原料からなる内層と外層とで覆われている。
【００１２】
前記桝本体１１及び点検掃除口用管２を形成する再生原料は、塩ビ、ポリエチレン、ポリプロピレン等からなる樹脂成形品、例えばペットボトル、家電製品の筐体や管継手等の建材製品の廃材、射出成形の際に発生したゲート等の不要部材やスクラップを粉砕して得たものであって、中間層１ａ，２ａを構成する樹脂原料としては前記再生原料のみ、あるいはこの再生原料に未使用の樹脂原料を若干混合したものが使用できる。また、内層及び外層を構成する樹脂原料としては、前記中間層１ａ，２ａを構成する再生原料と相溶性のある樹脂原料であって、再生原料を含有しない塩ビ、ポリエチレン、ポリプロピレン等の未使用の樹脂原料が使用できる。
【００１３】
このように桝本体１１や点検掃除口用管２の中間層１ａ，２ａと、該中間層１ａ，２ａの内外面を覆う内層及び外層としては各種の樹脂原料が使用できるが、塩化ビニル樹脂からなる使用済みの廃材やスクラップが大量に発生している現状を勘案すると、中間層１ａ，２ａに硬質塩化ビニル樹脂からなる再生原料が好適に使用でき、この中間層１ａ，２ａの内外面を覆う内層及び外層に再生原料を含有しない未使用の硬質塩化ビニル樹脂が好適に使用できる。
【００１４】
また、前記再生原料が桝本体１１や点検掃除口用管２を構成する樹脂原料全体に占める割合は１０〜８０重量％とするのが好ましい。この再生樹脂の割合が１０重量％未満では廃材やスクラップを有効活用するという点では十分な効果が期待できず、逆にこの割合が８０重量％を超えると再生原料を含有しない樹脂原料からなる内層及び外層が肉薄となるため、この内層及び外層から中間層を構成する再生原料が部分的にはみ出して外観を損ねるという事態が発生することになる。因みに、サイズ２５０の排水桝では、桝本体１の側壁の肉厚は５〜１５ｍｍ程度となる。
【００１５】
一方、排水桝１の側壁外面には、桝本体１１の下部に設けられたインバート１２と対応する外周側の位置に水平方向の標線ａが設けられており、また流出管３が接続される接続部１３の外周側にはその外周面から所定距離隔てた位置に円弧状に湾曲した標線ａが設けられている。これらの標線ａは桝本体１１の側壁外面から０．２〜１ｍｍ程度突出した状態で連続して設けることができ、この標線ａの下部領域はしぼ模様ｂが施された分岐継手４の接続禁止区域となっている。この排水桝１を用いた現場での配管の接続作業は次のようにして行なわれる。
【００１６】
本発明のドロップ桝は、図３に断面図で示した如く地中に埋設されるものであって、掘削した溝内の所定位置に排水桝１を設置するとともに、桝本体１１の下部に底板１４を介在させて安定した状態にセットする。そこで、桝本体１１の上端開口部に点検掃除口用管２を接続し、その上端部を地表面の近傍位置まで立ち上げて蓋６を着脱自在に装着する。次に、桝本体１１の側壁下部に設けられた接続部１３に流出管３を接続し、流入管５の接続位置や接続方向に合わせて排水桝１又は点検掃除口用管２に流入管５を接続するものである。このとき、排水桝１又は点検掃除口用管２の側壁適所に分岐継手４を接続するための接続孔を穿設してから分岐継手４のサドルを接着接合することになるが、作業者が不慣れであると図３に破線で示した如く、分岐継手４を接続するための接続孔がインバート１２の下方に穿孔されるという不都合が発生することがある。本発明の接続禁止区域はかかる不具合が発生するのを防止するものであって、標線ａとしぼ模様ｂで表示された分岐継手４の接続禁止区域を外して桝本体１１の側壁に接続孔を穿設すれば、接続不良が発生するのを未然に防止することができる。
【００１７】
【発明の効果】
以上詳述した如く、本発明の三層構造からなるドロップ桝は、樹脂成形品を射出成形あるいは押出成形したときに発生したスクラップや、老朽化して使用済みとなった廃材を有効活用することができるので、環境汚染を防止して省資源に貢献するところが極めて大きいものである。また、本発明では、排水桝の側壁外面に分岐継手の接続禁止区域が表示されているので、排水桝の側壁外面に流入管を接続するための分岐継手を接続するとき、作業者が不用意に接続位置を誤ることもなく、安全かつ確実に配管を接続することができる。
【図面の簡単な説明】
【図１】図１は本発明で使用する排水桝の一実施例を示す正面図である。
【図２】図２は図１に示した排水桝の側面図である。
【図３】図３は本発明のドロップ桝の使用状態を示す断面図である。
【符号の説明】
１    排水桝
１１    桝本体
１２    インバート
１３    接続部
１４    底板
１ａ    中間層
２    点検掃除口用管
２ａ    中間層
３    流出管
４    分岐継手
５    流入管
６    蓋
【図１】
2005023660.tif 000003
【図２】
2005023660.tif 000004
【図３】
2005023660.tif 000005